(57)【要約】【課題】  従来のファイルでは、ファイルの表紙が紙葉などの被収容物に比べて硬い材質で形成されているため、このファイルに重合されて綴じられた被収容物を湾曲させながら捲る際には、利用者が表紙に添えた手とは異なる手指を用いて被収容物を湾曲させる動作を要し、扱いづらいものであるが、この点を重視してファイルの表紙を柔らかい材質で形成されていると、被収容物を外力などから守るというファイル本来の機能が損なわれる。【解決手段】  本発明のファイル１は、例えば背表紙２２の左右方向中央にポケット体３が溶着により装着され、表表紙２１と裏表紙２３とのうちの少なくともいずれかの表紙は、第一表紙片２３１とこれよりも柔らかい第二表紙片２３２とが接合された接合表紙体２３０により形成される。【選択図】図１
2017039228.tif 000002
【特許請求の範囲】
【請求項１】
複数の表紙が互いに折曲可能に連設され、これらの表紙の間に被収容物を収容する為のファイルであって、
前記複数の表紙のうちの少なくとも一の表紙は、他の表紙と接する第一表紙片と当該第一表紙片に接合された第二表紙片とにより接合表紙体が形成され、前記第一表紙片と前記第二表紙片とは、それぞれ硬さが異なる板片により形成された
ファイル。
【請求項２】
複数の表紙が互いに折曲可能に連設され、これらの表紙の間に被収容物を収容する為のファイルであって、
前記複数の表紙のうちの少なくとも一の表紙は、他の表紙と接する第一表紙片と当該第一表紙片に接合された第二表紙片とにより接合表紙体が形成され、前記第一表紙片と前記第二表紙片とは、それぞれ厚さが異なる板片により形成された
ファイル。
【請求項３】
前記第一表紙片を形成する板片は、前記第二表紙片を形成する板片よりも硬い
請求項１に記載のファイル。
【請求項４】
前記接合表紙体は、前記第一表紙片と前記第二表紙片とが接合されて略四角形状を呈し、当該略四角形状の辺を形成する縁端であって他の表紙の縁端に接する表紙側縁端と、当該表紙側縁端と対向する位置にある外側縁端と、の間に、前記第一表紙片と前記第二表紙片との接合箇所である境界線を有する。
請求項１乃至請求項３のいずれかに記載のファイル
【請求項５】
前記表紙側縁端から前記境界線までの距離と、前記境界線から前記外側縁端までの距離と、が同じである。
請求項１乃至４のいずれかに記載のファイル。
【請求項６】
前記表紙側縁端から前記境界線までの距離と、前記境界線から前記外側縁端までの距離と、の比が２：５である。
請求項１乃至４のいずれかに記載のファイル。
【発明の詳細な説明】
【技術分野】
【０００１】
本発明は、書類などの被収容物を収容するためのファイルの表紙に関する。
【背景技術】
【０００２】
例えば、従来のファイルやバインダーを構成する複数の表紙は、一枚の板材を折り曲げることで形成され、さらに一の表紙おいて表紙背側部分と表紙縁側部分に区分けされている（例えば、特許文献１参照。）。
【先行技術文献】
【特許文献】
【０００３】
【特許文献１】特開２００１−２２５５８１号公報
【特許文献２】実開昭６０−２９６６４号公報
【発明の概要】
【発明が解決しようとする課題】
【０００４】
特許文献１に記載のファイルは、表紙と背表紙と裏表紙とが互いに折曲可能に連設され、表紙と裏表紙との間に位置する背表紙で、綴じ具などを介して紙葉などの被収容物が綴じられ、さらに、表表紙の背表紙に接する端辺とその端辺と対向する位置にある端辺との間の略中間に表紙中間線が設けられ、その表紙中間線で、表紙背側部分と表紙縁側部分とが折曲可能に接続され、表紙背側部分において表紙中間線と対向する位置にある端辺が背表紙に接している。さらに、表紙縁側部分は、下敷きなどのシートを接続することが可能に形成されたものである。
【０００５】
特許文献２に記載のバインダーは、表紙と背表紙と裏表紙とが互いに折曲可能に連設され、裏表紙において背表紙に接する端部の近傍で紙葉などの被収容物が綴じられ、さらに、表表紙は、３の小片がスリオンテープによって折り畳み可能につなぎ合わされて形成されており、これら３の小辺のうちの１の小片の端辺が背表紙の端辺と接するものである。
【０００６】
これらのファイルやバインダーは、ファイルの表紙が紙葉などの被収容物に比べて硬い／厚い板材で形成されるため、つまり、表紙が容易に湾曲しないため、このファイルに重合されて綴じられた被収容物を湾曲させながら捲る際には、それに合わせるように表紙を隣り合う小片の境界で折り曲げたり、利用者が表紙に添えた手とは異なる手を用いて被収容物を湾曲させたり、といった動作を要し、扱いづらいものである。
【０００７】
しかし、ファイルが、それに綴じられた被収容物が外力によって折れてしまったり破損してしまったりすることをその表紙に覆われることによって防いで被収容物を守ることを主たる目的としてなされたものであるなら、そのような目的を実現するには表紙は硬い／厚い板材で形成されることが好適であり、むしろ前述した捲りやすさを犠牲にすることが求められる。
【０００８】
他方、ファイルにおいて捲りやすさを担保させるなら、表紙を、被収容物を湾曲させる際にその湾曲に追従する程度の柔らかい／薄い板材により形成すればよいが、そのようなファイルは、その表紙の脆さから、それが硬い／厚い板材により形成された場合に比して被収容物を外力などから守る能力が低下することが避けられない。特に、多量の被収容物がファイルに綴じられるのであれば、柔らかい／薄い板材により形成された表紙は、被収容物が自らの重量により湾曲すると、その湾曲に抗することができずに湾曲してしまうため、これにより被収容物が折れ曲がってしまう虞がある。
【０００９】
特許文献２に記載のバインダーは、表紙が硬い／厚い板材により形成されたものであったとしても、いずれかの表紙（おもに表表紙）の一部が折曲可能に形成されているため、被収容物を湾曲させて捲る際に隣り合う小片の境界で折り曲げることで、その表紙を被収容物の湾曲に幾らか追従させることができるが、隣り合う小片の数、すなわち折曲線の数には限りがあるため、前述した捲りやすさの実現にも限りがある。
【００１０】
つまり、折曲線の数が多ければ多いほど、捲られる被収容物の湾曲に追従して表紙を折り曲げることができるが、それは表紙の硬さを犠牲にすることであって、そのようなファイルにはそれに綴じられた被収容物を外力などから守るという効果を期待することができない。
【００１１】
本発明は、ファイルに綴じられた被収容物を外力などから守ることと被収容物の捲りやすさを損なわないこととを共に実現することができる技術を提供することを課題とする。
【課題を解決するための手段】
【００１２】
本発明のファイルは、複数の表紙が互いに折曲可能に連設され、これらの表紙の間に被収容物を収容する為のファイルであって、前記複数の表紙のうちの少なくとも一の表紙は、他の表紙と接する第一表紙片と当該第一表紙片に接合された第二表紙片とにより接合表紙体が形成され、前記第一表紙片と前記第二表紙片とは、それぞれ硬さが異なる板片により形成されている。
【００１３】
この他、本発明のファイルは、複数の表紙が互いに折曲可能に連設され、これらの表紙の間に被収容物を収容する為のファイルであって、前記複数の表紙のうちの少なくとも一の表紙は、他の表紙と接する第一表紙片と当該第一表紙片に接合された第二表紙片とにより接合表紙体が形成され、前記第一表紙片と前記第二表紙片とは、それぞれ厚さが異なる板片により形成されている。
【００１４】
前記第一表紙片を形成する板片は、前記第二表紙片を形成する板片よりも硬い。
【００１５】
第一表紙片が第二表紙片よりも硬いのであれば、両者は異なる材質により形成されていてもよいし、同じ材質により形成されていてもよい。つまり、両者が異なる材質により形成されているなら、第二表紙片を形成する板片の材質は第一表紙片のそれよりも柔らかいものが選択されればよいし、両者が同じ材質により形成されているのであれば、第二表紙片を形成する板片は第一表紙片のそれよりも薄いものが選択されればよい。
【００１６】
前記接合表紙体は、前記第一表紙片と前記第二表紙片とが接合されて略四角形状を呈し、当該略四角形状の辺を形成する縁端であって他の表紙の縁端に接する表紙側縁端と、当該表紙側縁端と対向する位置にある外側縁端と、の間に、前記第一表紙片と前記第二表紙片との接合箇所である境界線を有する。
【００１７】
前記表紙側縁端から前記境界線までの距離と、前記境界線から前記外側縁端までの距離と、が略同じである。
【００１８】
これとは別に、前背表紙側縁端から前記境界線までの距離と、前記境界線から前記外側縁端までの距離と、の比が２：５であってもよい。
【００１９】
接合表紙体を他の表紙に対して両者の境界線を回転軸として回転させてファイルを開く場合において、第二表紙片は、第一表紙片に対して接合表紙体の回転動作の外周寄りに位置することになり、第二表紙片が第一表紙片よりも柔らかい／薄い板片により形成されているのであれば、その回転の途中段階の或る位置で第一表紙片の回転を止めた状態から第二表紙片を湾曲させることにより、第一表紙片の回転途中位置で第二表紙片のみを捲った状態を実現できる。
【００２０】
このような形態とすることで、表紙が柔らかい板片により形成されているとそのファイルに収容される被収容物を外力などから守るという機能が低下するという課題を第一表紙片が硬い板片により形成されることにより解決するとともに、表紙が硬い板片により形成されていると被収容物を捲りにくいという課題を第二表紙片のみを捲ることを可能とすることにより解決することができる。
【００２１】
このような効果が得られるのであれば、前記背表紙側縁端から前記境界線までの距離と、前記境界線から前記外側縁端までの距離と、の比は２：５であることに限られず、想定される被収容物の量に応じたファイルの厚さ（背表紙の幅）や第一表紙片や第二表紙片の厚さや材質などにより、好適なものが選択されればよい。
【００２２】
例えば、接合表紙体が被収容物の量が多いファイルに設けられるのであれば、表紙が被収容物の重みにより撓んでしまうことを防ぐために第一表紙片の面積を第二表紙片のそれに対して大きくすればよいし、接合表紙体が被収容物の量が少ないファイルに設けられ、また、捲りやすさをより重視するのであれば、第二表紙片の面積を第一表紙片のそれに対して大きくすればよい。
【００２３】
また、第一表紙片と第二表紙片とがともに合成樹脂材料により形成されているのであれば、両者は超音波溶着により接合されてもよいし、両者が並ぶように押し出し成型されることにより形成されてもよいし、また、両者が接着により接合されてもよい。
【００２４】
他方、第一表紙片と第二表紙片とが異なる材料により形成されていて超音波溶着に適さないのであれば、両者は接着により接合されてもよい。
【００２５】
本発明のファイルがポケットを有し、当該ポケットが、少なくとも一端が閉じられずに開口端を形成する袋状を呈しているのであれば、当該ポケットに書類などの被収容物を収容したとき、利用者がファイルを持つ向きによっては当該被収容物が開口端を通ってポケットから離脱しやすいが、ファイルを閉じた状態で表表紙と裏表紙とにおいてポケットの開口端に対応する端辺を閉じるように固定すれば、ポケットに収納された被収容物が開口端を通ってポケットから離脱する経路が塞がれることで被収納物がポケットから離脱することを防ぐことができる。また、このような構成によれば、ファイルを閉じた状態で、利用者の意図に依らずに第二表紙片が捲れてしまうことを防ぐことができる。
【００２６】
具体的には、表表紙と裏表紙とのうちいずれかに紐状物を設け、ファイルを閉じた状態で当該紐状物を他の表紙の外面に接するように配する。このような構成とすれば、ファイルが開くことや第二表紙片が捲れてしまうことを防ぐことの他、前記紐状物が対向する２の表紙を跨ぐため、被収容物が開口端を通ってポケットから離脱する経路が前記紐状物により塞がれることになり、これにより被収容物がポケットから離脱することが防がれる。
【００２７】
さらに、表表紙においてポケットの開口端に対応する一側端と、裏表紙においてファイルを閉じた状態で前記一側辺に対応する位置にある一側端と、で係合するようにファスナーを形成してもよい。この構成によれば、ファスナーを閉じることにより、第二表紙片が捲れてしまうことを防ぐとともに、被収容物が開口端を通ってポケットから離脱する経路が前記紐状物により塞がれることになり、これにより被収容物がポケットから離脱することが防がれる。
【発明の効果】
【００２８】
本発明に拠れば、表紙や裏表紙などの複数の表紙が互いに折曲可能に連設されたファイルにおいて、ファイルに綴じられた被収容物を外力などから守ることと、表紙の硬さゆえに利用者が感じる被収容物の捲りにくさを軽減することとを共に実現するファイルを提供することができる。
【００２９】
例えば、１枚の板片が折り曲げられて形成された折曲線を介して複数の表紙が連設されたファイルであれば、それぞれの表紙が同じ材料により形成されることになり、その材料が硬いものであれば、そのファイルに収容された被収容物を捲るために湾曲させながら捲るに際し、表紙はその湾曲に追従しないため、利用者が表紙と被収容物とを同時に持ちながら被収容物を捲ることが困難であり、その材質が柔らかいものであれば、その表紙の脆さから、それが硬い材質により形成された場合に比して被収容物を外力などから守る能力が低下することが避けられない。特に、このようなファイルに多量の被収容物が収容されると、被収容物が自らの重量により湾曲するとその湾曲に抗することができずに表紙も湾曲してしまう。
【００３０】
これに対し、本発明のファイルは、表紙と裏表紙とのうち少なくともいずれかの表紙が、それぞれ硬さが異なる第一表紙片と第二表紙片とにより形成されているため、両者のうち硬いほうの表紙片がそのファイルに収容された被収容物を外力などから守るとともに被収容物の自重により撓もうとする力に抗して被収容物の撓みを防ぎ、柔らかいほうの表紙片が、利用者が被収容物を捲ろうとしてこれを撓ませたときにその撓みに追従して撓むことで、利用者が被収容物を捲ろうとする動作を補助する。
【００３１】
さらに、ファイルを閉じた状態で表表紙と裏表紙とにおいてそれぞれに対向する端辺を閉じるように固定すれば、ファイルを閉じた状態を維持するとともに利用者の意図に依らずに第二表紙片が捲れてしまうことを防ぐことができる。
【図面の簡単な説明】
【００３２】
【図１】ファイルを開いた状態を示す図
【図２】ポケット体を装着していない表紙体を開いた状態を示す図
【図３】被収容物をポケット体に挿入する状態を示す図
【図４】従来のファイルを下から見た状態を示す図
【図５】従来のファイルを下から見た状態を示す図
【図６】本発明のファイルを下から見た状態を示す図
【図７】第一接合方法を示す図
【図８】第二接合方法を示す図
【図９】第三接合方法を示す図
【図１０】ファイルを閉じて表紙に紐状物をかけた状態を示す図
【発明を実施するための形態】
【００３３】
以下、図面を参照しながら本発明の実施形態を説明する。なお、本明細書において、特に説明が無い限り、図１において視認される上下方向を「ファイルの上下方向」とし、同様に視認される左右方向を「ファイルの左右方向」とし、上下方向の長さを「高さ」、左右方向の長さを「幅」とする。
【００３４】
図１及に示されるファイル１は、表紙体２が表表紙２１と背表紙２２と裏表紙２３とが折曲線２４を介して連設されて成り、さらに、表紙体の一面にポケット体３が溶着などの方法により接合されているものである。
【００３５】
図２に示されるように、表紙体２は、表表紙２１、背表紙２２、裏表紙２３のいずれか、好適には背表紙の左右方向中央にポケット体３を装着するための装着部２５を有し、表紙体２とポケット体３とが溶着により装着されるのであれば、溶着により生じた溶着跡である装着部２５が上下方向に連続して配される。なお、図２は、表紙体２とポケット体３とが溶着されていない状態を示す図であるから本来であればここに装着部２５が現出しないが、説明の都合上、装着部２５が現出した状態を示したものである。
【００３６】
さらに、表表紙２１と裏表紙２３とのうちの少なくともいずれかの表紙（図２においては裏表紙２３）は、第一表紙片２３１と第二表紙片２３２とが接合された接合表紙体２３０により形成される。
【００３７】
図３に示されるように、ポケット体３は合成樹脂製のシートにより袋状に形成され、その左右方向略中央に、表紙体２に溶着により装着されることにより生じた溶着跡である被装着部３１を有し、その被装着部３１を介して隣り合う２の袋体が形成され、それぞれに被収容物４が収容されるが、このような方法に限られるものではなく、図２において装着部２５が示される位置に図示しない綴じ具を設け、綴じ穴が設けられた被収容物４が綴じ具を介してファイル１に綴じられるようにしてもよい。
【００３８】
図４及び図５は、従来のファイルを開いてポケット３及び被収容物４を湾曲させて捲ろうとしている状態を下から見たものとして模式的に示した図である。なお、これらの図において、表表紙、背表紙、裏表紙、ポケットおよび被収容物は、それぞれ従来のファイルのものであるが、本発明における構成と共通するものについてはそれらと同じ符号を用いて説明する。
【００３９】
図４に示す状態では、表表紙２１、背表紙２２及び裏表紙２３が互いに略平面状となるように開いた状態で図中右側のポケット３及び被収容物４が湾曲して捲られようとしているが、裏表紙２３はポケット３及び被収容物４の湾曲に追従して湾曲しないため、裏表紙２３の動作とポケット３及び被収容物４の動作とは別のものとなり、利用者がポケット３及び被収容物４を捲るとき、表紙に一方の手を添えた状態であれば、他方の手を用いて被収容物を湾曲させなくてはならない。
【００４０】
この課題に対応すべく、図５に示すように、裏表紙２３の左右方向略中央に境界線２６を設けて裏表紙２３をその境界線２６で折り曲げ可能に形成すれば、図４に示される従来例に比べれば裏表紙２３はポケット３及び被収容物４の湾曲に追従するが、境界線２６が１本のみではその湾曲に対応しきれない。
【００４１】
これに対し、裏表紙２３を柔らかい材料の板材で形成したり、境界線２６を多数設けることにより裏表紙２３が柔らかい材料の板材を用いたものに近い屈曲が可能となるように形成したりすれば、そのような裏表紙２３はポケット３及び被収容物４の湾曲により追従して湾曲することができるが、このような場合、例えばファイルを閉じた状態で利用者がこれを持ち上げたとき、被収容物が自らの重量により湾曲すると、裏表紙２３はその湾曲に抗することができずに湾曲してしまい、被収容物を外力などから守るというファイル本来の機能が損なわれてしまう。
【００４２】
図６は、本発明のファイル１を開いてポケット３及び被収容物４を湾曲させて捲ろうとしている状態を下から見たものとして模式的に示した図である。
【００４３】
図６に示す状態では、図中右側のポケット３及び被収容物４が湾曲して捲られようとしているが、このときの裏表紙２３は、第一表紙片２３１が湾曲せず、第二表紙片２３２はポケット３及び被収容物４の湾曲に追従して湾曲する。つまり、第一表紙片２３１と第二表紙片とがそれらの境界線２６を介してそれぞれ異なる動作をする。
【００４４】
第二表紙片２３２はポケット３及び被収容物４が湾曲に追従して湾曲するため、一方の手に複数の指を有する利用者がポケット３及び被収容物４を捲るとき、当該一方の手の一の指（例えば親指）をポケット３及び被収容物４に添えて他の指を裏表紙２３の第二表紙片２３２に添えた状態で、つまり、片手で、第二表紙片２３２とポケット３及び被収容物４とをまとめて湾曲させることができる。
【００４５】
他方、ファイル１において境界線２６の内側（図中左側）に位置する領域では、第一表紙片２３１はポケット３及び被収容物４の湾曲に追従していないが、このことにより、この領域において被収容物を外力などから守るというファイル本来の機能が担保される。
【００４６】
そもそも、利用者がポケット３及び被収容物４を捲る動作では、利用者の一方の手が添えられた箇所においてポケット３及び被収容物４と裏表紙２３とがともに湾曲していればよく、むしろポケット３及び被収容物４の全域と裏表紙２３の全域とがともに湾曲してしまうと、前述したように、被収容物を外力などから守るというファイル本来の機能が損なわれてしまう。
【００４７】
つまり、本発明は、第二表紙片２３２がポケット３及び被収容物４の湾曲に追従して湾曲することで、利用者が一方の手をこれらに添えるのみでポケット３及び被収容物４を容易に捲ることができることと、被収容物を外力などから守るというファイル本来の機能と、を共に実現するものである。なお、第一表紙片２３１と第二表紙片２３２とは同じ大きさ、すなわち、両者とも裏表紙２３の半分の大きさであってもよく、また、第一表紙片２３１が第二表紙片２３２よりも大きくてもよく、さらにその逆でもよい。これらの関係は、想定される被収容物の量とこれに伴って裏表紙２３にかかる力とを勘案して好適なものが選択されればよい。
【００４８】
次に、第一表紙片２３１と第二表紙片２３２との接合方法について説明する。なお、ファイルの大きさ、収容する被収容物の量、製造コスト、等の要素を総合的に勘案して、これらの接合方法のいずれが選択されればよい。
【００４９】
（第一接合方法）
図７に示されるように、第一表紙片２３１の左右側端のうち背表紙２２と接しない側端が第二表紙片２３２の一側端と重合され、両者がファイルの上下方向に連続して超音波溶着や接着などの方法により接合されて接合部２６０が形成され、この接合部２６０が境界線２６に相当する。この接合方法によれば、接合部２６０においてファイルを開閉する方向とは異なる方向に曲がろうとする力に対する強度が上がるため、より効果的に被収容物を外力などから守ることができる。
【００５０】
（第二接合方法）
図８に示す状態では、第一表紙片２３１の左右側端のうち背表紙２２と接しない側端と第二表紙片２３２の一側端とが重合されずに接合されている。つまり、接合された箇所である接合部２６０はそれ自体が境界線２６を形成する。これは、第一表紙片２３１の一側端と第二表紙片２３２の一側端とが接するようにそれぞれを形成する合成樹脂材料が押し出し成型されることにより形成されるもので、この接合方法によれば、第一表紙片２３１と第二表紙片２３２とが重合されて接合部２６０が形成されることにより段差が生じるようなことが無いため、この接合方法によりなされたファイルを多数のファイルや書物が収納された棚にこのファイルを収納する際やそのような棚からこれを取り出す際に、前述した段差が他のファイルや書物に接触することでこれらを傷つけてしまうことがない。
【００５１】
（第三接合方法）
図９に示されるように、第一表紙片２３１の左右側端のうち背表紙２２と接しない側端と第二表紙片２３２の一側端とが、接合体２６１、２６２とヒンジ体２６３とにより形成される接合部２６０を介して接合されてもよい。
【００５２】
図９では第一表紙片２３１が背表紙２２に対して右側に配されており、このような配置において、接合部２６０は、左から右に向けて、第一表紙片２３１に接合される接合体２６１、ヒンジ体２６３、第二表紙片２３２に接合される接合体２６２、の順に配され、これらが互いに接するようにそれぞれを形成する合成樹脂材料が押し出し成型されることにより形成されるが、この方法に限られるものではなく、接合体２６１とヒンジ体２６３と接合体２６２とがそれぞれ接着されて形成されてもよい。
【００５３】
第一表紙片２３１と接合体２６１とは超音波溶着により接合されてもよいし、それぞれが接着されることにより接合されてもよく、更に、第一表紙片２３１の一面で接合体２６１と接合されてもよいし、第一表紙片２３１の両面（ファイルを閉じた場合のファイルの内面側と外面側）それぞれで接合体２６１と接合されてもよい。この関係は、第二表紙片２３２と接合体２６２とにおいても同様である。
【００５４】
この接合方法によれば、とくにヒンジ体２６３が柔らかい素材により形成されるのであれば、第二表紙片２３２を撓ませるとともにヒンジ体２６３をも容易に撓ませることができるので、ポケット３及び被収容物４を湾曲させる動きに対いて第二表紙片２３２を追従させやすくなるため、他の接合方法によりなされたファイルと比べて利便性が向上するとともに、第一表紙片２３１の一側端及び第二表紙片２３２の一側端がそれぞれ接合体２６１、２６２と重合されて接合されるため、これらの箇所においてファイルを開閉する方向とは異なる方向に曲がろうとする力に対する強度が上がるため、より効果的に被収容物を外力などから守ることができる。
【００５５】
地球上においてポケット３に被収容物４を収容してファイル１を閉じた状態で、ポケットの開口端を地球の中心に向けたとき、被収容物４が地球の重力に引かれてポケット３から離脱する、いわゆる‘落ちる’と表される状態が生じることが考えられる。これを防ぐべく、図１０に示すように、表表紙２１および裏表紙２３の少なくともいずれかに紐状物６を設けてもよい。例えば表表紙２１に紐状物６を設けた場合、図２の状態において裏表紙２３を表表紙２１に対して相対的に回動して両者が重合するようにファイル１を閉じて、紐状物６を伸ばして裏表紙２３の上層に掛けて両者を固定すると、紐状物６は、ファイル１が閉じた状態を維持するとともにポケット３０の開口端から被収容物４がポケット３０から離脱する経路に位置する各表紙の端部を跨ぐことになり、この経路が塞がれることで被収容物４の離脱を防止することができる。とくに、紐状物６が裏表紙２３のうち第二表紙片２３２を跨ぐように位置していれば、ファイル１を閉じた状態において第二表紙片２３２が捲れてしまうのを紐状物６が抑えることができる。
【００５６】
なお、ファイル１が閉じた状態を維持する手段は紐状物６に限られるものではなく、ポケット３０の開口端から被収容物４がポケット３０から離脱する経路に位置する各表紙の端部であって少なくとも第二表紙片２３２の端部を含む位置に両者を繋ぐ図示しないファスナーを設けてもよい。
【００５７】
以上の通り、本発明によれば、利用者は一方の手をポケット３及び被収容物４と第二表紙片２３２とに添えることで、ポケット３及び被収容物４に添えた指のみでそれらを容易に捲ることができるとともに、それを実現することにより被収容物を外力などから守るというファイル本来の機能が損なわれることはなく、非常に使い勝手の良いファイルを提供することができる。
【符号の説明】
【００５８】
１  ファイル
２  表紙体
２１  表表紙
２２  背表紙
２３  裏表紙
２３０  接合表紙体
２３１  第一表紙片
２３２  第二表紙片
２４  折曲線
２５  装着部
２６  境界線
２６０  接合部
２６１  接合体
２６２  接合体
２６３  ヒンジ体
３  ポケット体
３１  被装着部
４  被収容物
５  紐状物
【図１】
2017039228.tif 000003
【図２】
2017039228.tif 000004
【図３】
2017039228.tif 000005
【図４】
2017039228.tif 000006
【図５】
2017039228.tif 000007
【図６】
2017039228.tif 000008
【図７】
2017039228.tif 000009
【図８】
2017039228.tif 000010
【図９】
2017039228.tif 000011
【図１０】
2017039228.tif 000012